【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
軸構造によって間隔をあけて離れた状態で一体とされた第１側部部分と第２側部分と、
前記軸構造の一部に取り付けられたテザーと、
を備え、
前記第１側部部分は、第１主要部分と第２主要部分とを含み、
前記主要部分の一方は、少なくとも１つのタブ部分を含み、前記主要部分の他方は、前記タブ部分を収容可能な溝を有しており、
前記主要部分の一方は、前記主要部分の一方を前記主要部分の他方に取り付けるとき、前記溝に隣接するように前記タブ部分を配置し、次に、前記主要部分の他方に対して前記主要部分の一方を第１方向へと回転させ、それにより前記タブ部分を前記溝に収容させることで、前記主要部分の他方に取り外し可能に取り付けられ、
前記第１側部部分には、前記タブ部分が前記溝に収容された状態で、前記主要部分の他方に対する前記主要部分の一方が、前記第１方向とは反対の第２方向への回転を防止可能な固定装置が設けられていることを特徴とするヨーヨー。
【請求項２】
前記固定装置は、複数の歯を持つ歯車と、前記歯車と適切に連結された押しボタンと、前記タブ部分に配置された複数の歯とを有し、
前記タブ部分の歯が前記歯車の歯と係合し、前記歯車は、前記押しボタンの位置に依存して、回転可能、または、回転不能となることを特徴とする請求項１に記載のヨーヨー。
【請求項３】
前記押しボタンは前記第１側部部分に対して回転不可能に取り付けられており、
前記固定装置は、回転可能な主歯車を有し、
当該主歯車は、前記歯車と係合する第１の歯のセットと、前記押しボタンに設けられた歯のセットと係合可能な第２の歯のセットとを有し、
前記押しボタンは、当該押しボタンに設けられた歯のセットが前記第２の歯のセットと係合するようにバネによって付勢されており、
当該押しボタンの歯のセットは、前記第２の歯のセットと係合することにより前記主歯車の一方への回転を阻止しており、
前記押しボタンが押されると、前記押しボタンの歯のセットと前記主歯車の第２の歯のセットとの係合が解除され、前記主歯車の一方への回転が可能となることで、前記第１の歯のセットと係合している前記歯車が回転可能となることを特徴とする請求項２に記載のヨーヨー。
【請求項４】
前記固定装置は、前記第１主要部分と第２主要部分のいずれか一方と接触可能な押しボタンを有し、前記押しボタンは、複数の歯を有し、
前記押しボタンと接触する主要部分は、
前記押しボタンが第１位置にある場合に前記押しボタンの前記歯に係合することができる複数の歯を有し、
前記押しボタンが第２位置に動かされると、前記押しボタンの歯が、前記押しボタンと接触する主要部分の歯から外れることを特徴とする請求項１に記載のヨーヨー。
【請求項５】
前記固定装置は、前記第１側部部分に取り付け可能な固定リングであり、
前記溝には前記タブ部分が通過可能な開口部が設けられており、前記主要部分の他方から前記主要部分の一方を取り外すとき、前記タブ部分が前記開口部中に配置されて前記開口部を通過できるようになるまで前記主要部分同士を第１方向とは反対の第２方向へと回転させることにより、前記主要部分の一方を前記主要部分の他方から取り外し可能であり、
前記固定リングは、前記固定リングを前記第１側部部分に取り付けたとき前記開口部に収容され、前記タブ部分が前記開口部を通って前記溝から出ることを防止する追従タブを有することを特徴とする請求項１に記載のヨーヨー。
【請求項６】
前記第１側部部分は、前記固定リングと係合可能な、少なくとも１つの固定リング用固定タブを含むことを特徴とする請求項５に記載のヨーヨー。
【請求項７】
前記少なくとも１つの固定リング用固定タブは、前記タブ部分からオフセットされていることを特徴とする請求項６に記載のヨーヨー。
【請求項８】
前記固定リングは、前記固定リング用固定タブが少なくとも部分的に収容されるスロットを持つことを特徴とする請求項６又は７に記載のヨーヨー。
【請求項９】
前記側部部分のそれぞれは、ユーザが前記ヨーヨーを前記ユーザの手に戻そうとするとき、前記テザーと簡単に係合するように適合されたテザーに対面する表面を持つことを特徴とする請求項１乃至８のいずれか１項に記載のヨーヨー。
【請求項１０】
前記側部部分の少なくとも１つは、前記第１主要部分と第２主要部分のいずれか一方に移動可能に取り付けられたシャトル部材を持ち、前記シャトル部材は、前記テザーと対面する表面を持ち、ユーザが前記ヨーヨーを前記ユーザの手に戻そうとするとき、前記テザーと係合することを特徴とする請求項１乃至８のいずれか１項に記載のヨーヨー。
【請求項１１】
前記第１主要部分と第２主要部分のいずれか一方はリム部材、他方はハブ部材であることを特徴とする請求項１乃至１０のいずれか１項に記載のヨーヨー。
【請求項１２】
前記リム部材は、可撓性材料で作製されていることを特徴とする請求項１１に記載のヨーヨー。
【請求項１３】
前記リム部材は、硬く、実質的に非可撓性の材料で作製されていることを特徴とする請求項１１に記載のヨーヨー。
【請求項１４】
ユーザは、前記側部部分のリム部材を取り外し、前記取り外したリム部材と異なる形状のリム部材を代わりに設置することによって、前記第１の側部部分の形状を変えられることを特徴とする請求項１２または１３に記載のヨーヨー。
【請求項１５】
前記ハブ部分は、前記軸構造に取外可能に取り付けられていることを特徴とする請求項１１乃至１４のいずれか１項に記載のヨーヨー。
【請求項１６】
前記第２側部部分は、実質的に前記第１側部部分と同じであることを特徴とする請求項１乃至１５のいずれか１項に記載のヨーヨー。
【請求項１７】
前記第２側部部分は、前記第１の側部部分と実質的に異なっていることを特徴とする請求項１乃至１５のいずれか１項に記載のヨーヨー。
【手続補正２】
【補正対象書類名】明細書
【補正対象項目名】００１６
【補正方法】変更
【補正の内容】
【００１６】
本発明に係るヨーヨーは、軸構造によって間隔をあけて離れた状態で一体とされた第１側部部分と第２側部分と、前記軸構造の一部に取り付けられたテザーと、を備え、前記第１側部部分は、第１主要部分と第２主要部分とを含み、前記主要部分の一方は、少なくとも１つのタブ部分を含み、前記主要部分の他方は、前記タブ部分を収容可能な溝を有しており、前記主要部分の一方は、前記主要部分の一方を前記主要部分の他方に取り付けるとき、前記溝に隣接するように前記タブ部分を配置し、次に、前記主要部分の他方に対して前記主要部分の一方を第１方向へと回転させ、それにより前記タブ部分を前記溝に収容させることで、前記主要部分の他方に取り外し可能に取り付けられ、前記第１側部部分には、前記タブ部分が前記溝に収容された状態で、前記主要部分の他方に対する前記主要部分の一方が、前記第１方向とは反対の第２方向への回転を防止可能な固定装置が設けられている、ことを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００２１
【補正方法】変更
【補正の内容】
【００２１】
また、本発明に係るヨーヨーにおいては、前記固定装置は、前記第１側部部分に取り付け可能な固定リングであり、前記溝には前記タブ部分が通過可能な開口部が設けられており、前記主要部分の他方から前記主要部分の一方を取り外すとき、前記タブ部分が前記開口部中に配置されて前記開口部を通過できるようになるまで前記主要部分同士を第１方向とは反対の第２方向へと回転させることにより、前記主要部分の一方を前記主要部分の他方から取り外し可能であり、前記固定リングは、前記固定リングを前記第１側部部分に取り付けたとき前記開口部に収容され、前記タブ部分が前記開口部を通って前記溝から出ることを防止する追従タブを有するようになっていても良い。